(57)【要約】【課題】樹脂製突起付き保持シートの使用をやめ、突起加工を無くして、コストの低減を図るとともに、保持シートに対して突起を形成しないことによりライトガイド付き接点保持シートの薄型を図る。【解決手段】保持シート２の基板３側の粘着面４にドーム状の可動接点５を基板３の固定接点６に対向させて取付けるとともに、可動接点５の中心位置に突起７を形成しておき、突起７を保持シート２に形成した突出用の孔８内に位置させ、突起７の上部にライトガイドフィルム９を重ねた状態で、保持シート２とライトガイドフィルム９とを接着により一体化して、ライトガイド付き接点保持シート１を構成する。ライトガイドフィルム９は、突起７の上底面に重ねられる。【選択図】図３
2009277611.tif 000002
【特許請求の範囲】
【請求項１】
保持シート（２）の基板（３）側の粘着面（４）にドーム状の可動接点（５）を基板（３）の固定接点（６）に対向させて取付けるとともに、可動接点（５）の中心位置に突起（７）を形成しておき、この突起（７）を保持シート（２）に形成した孔（８）内に位置させ、突起（７）の上部にライトガイドフィルム（９）を重ねた状態で、保持シート（２）とライトガイドフィルム（９）とを接着により一体化する、ことを特徴とするライトガイド付き接点保持シート（１）。
【請求項２】
上記の突起（７）を可動接点（５）の材料により台形状ないしゆるやかな半球状として形成し、台形状の突起（７）の上部にライトガイドフィルム（９）を重ねる、ことを特徴とする請求項１記載のライトガイド付き接点保持シート（１）。
【発明の詳細な説明】
【技術分野】
【０００１】
本発明は、携帯電話機やその他の携帯用電子機器に組み込む小さなスイッチ用のライトガイド付き接点保持シートに関する。
【背景技術】
【０００２】
携帯電話機やその他の携帯用電子機器に組み込む小さなスイッチは、直径２〜６ｍｍ前後のドーム状の可動接点と可動接点に対向する固定接点とで構成されている。可動接点は、保持シートに保持され、固定接点は、基板に組み込まれて、それぞれ可動接点に対向している。
【０００３】
スイッチの組み込み状態で、スイッチ操作は、可動接点の中央を点で押すために、保持シートに樹脂製突起を形成し、この樹脂製突起の頂点を押して、可動接点を変位させ、可動接点と固定接点とを電気的に接触させている。このように、可動接点は、固定接点に接離することによって、スイッチをオンオフさせる。
【０００４】
一方、スイッチ操作部の照明のために、スイッチ操作部と保持シートとの間に透明フィルムなどによるライトガイドが配置されている。スイッチ操作のときに、ライトガイドが樹脂製突起に点で当たるため、寿命試験でライトガイドにクラックが入りやすく、耐久上問題があった。
【特許文献１】特開平９−１９８９０２号公報
【特許文献２】特開２００１−０２８２２０号公報
【発明の開示】
【発明が解決しようとする課題】
【０００５】
したがって、本発明の解決課題は、樹脂製突起付き保持シートの使用をやめ、突起加工を無くして、コストの低減を図るとともに、保持シートに対して突起を形成しないことによりライトガイド付き接点保持シートの薄型を図ることである。
【課題を解決するための手段】
【０００６】
上記の課題のもとに、本発明は、保持シート（２）の基板（３）側の粘着面（４）にドーム状の可動接点（５）を基板（３）の固定接点（６）に対向させて取付けるとともに、可動接点（５）の中心位置に突起（７）を形成しておき、この突起（７）を保持シート（２）に形成した突出用の孔（８）内に位置させ、突起（７）の上部にライトガイドフィルム（９）を重ねた状態で、保持シート（２）とライトガイドフィルム（９）とを接着により一体化して、ライトガイド付き接点保持シート（１）を構成している。
【０００７】
特に、本発明は、突起（７）を可動接点（５）の材料により台形状ないしゆるやかな半球状として形成し、突起（７）の上部にライトガイドフィルム（９）を重ねている。
【発明の効果】
【０００８】
本発明によると、次の効果が得られる。樹脂製の突起付き保持シートの使用をやめ、樹脂製の突起加工を無くしているから、樹脂製の突起の製作に伴うコストの低減を図ることができる。保持シート自体にに突起を形成することに代えて、保持シート（２）の孔（８）内に可動接点（５）の中心位置の突起（７）を配置し、突起（７）の突出寸法が保持シート（２）の孔（８）内で吸収されるから、突起（７）の突出寸法がそのまま厚み方向の寸法とならず、ライトガイド付き接点保持シートの薄型を図ることができる。
【０００９】
台形状の突起（７）が可動接点（５）の材料により形成され、その上部の平坦面でライトガイドフィルム（９）に当たるから、長期の使用でも、ライトガイドフィルム（９）が突起（７）に当たる部分で変形せず、クラックなどの発生も少なくでき、長寿命化を図ることができる。
【発明を実施するための最良の形態】
【００１０】
図１ないし図３は、本発明に係るライトガイド付き接点保持シート１を一例として携帯電話機のキー操作の部分に組み込むときの態様を示している。
【００１１】
これらの図において、ライトガイド付き接点保持シート１は、保持シート２の基板３側の粘着面４にドーム状の可動接点５を基板３の固定接点６に対向させて取付けるとともに、可動接点５の中心位置に突起７を形成しておき、この突起７を保持シート２に形成した突出用の孔８内に位置させ、突起７の上部にライトガイドフィルム９を重ねた状態で、保持シート２とライトガイドフィルム９とを接着により一体化されている。特に、本発明は、可動接点５の材料によって突起７を台形状として可動接点５の凸側に形成し、台形状の突起７の上底にライトガイドフィルム９を面接触の状態として重ねている。
【００１２】
保持シート２は、例えばＰＥＴ粘着テープであり、ドーム状の可動接点５は、テンキーや各種のファンクションキーに対応する位置で、テープ基材のアクリル系粘着剤による粘着面４に複数取付けられ、それぞれ固定接点６に対向している。固定接点６は、基板３の表面に形成されている。
【００１３】
多数の可動接点５は、例えばステンレス製のドーム状（皿状）でクリックアクション付きのプレス加工品であり、凹面を基板３の固定接点６に対向する状態で、凸面により保持シート２の粘着面４に取付けられている。各可動接点５の中心頂点位置に台形状の突起７がプレス加工時に一体に形成されている。突起７は、保持シート２の突出用の孔８よりも小さくしてあり、突起７の直径は０．３〜１．０ｍｍ程度、高さは０．０５〜０．３ｍｍとする。なお、可動接点５の直径は、機器の全体の大きさによって変化するが、概ね２．０〜６．０ｍｍ程度である。
【００１４】
そして、ライトガイドフィルム９は、導光性のよい透明な樹脂フィルムであり、台形状ないしゆるやかな半球状の突起７の上部に重ねた状態で、保持シート２とライトガイドフィルム９との間で、例えば両面粘着テープなどによる部分的な接着により一体化している。
【００１５】
なお、保持シート２と基板３との相対位置の規制のために、保持シート２には３つの位置決め孔１０が設けられている。保持シート２が基板３に対する位置決め状態で取付けられたとき、基板３の端部に取付けられている１または２以上のＬＥＤなどの光源１２はライトガイドフィルム９の端面に向けられている。
【００１６】
突起７の上部は、ライトガイドフィルム９を介してキー操作部１３に対向する。キー操作部１３は、それぞれの可動接点５毎にケース１４に支えられた独立のキートップ１１により構成されるか、または図示しないが、すべての可動接点５に共通な一体の柔軟に変形可能なキーパッドにより構成される。
【００１７】
ライトガイド付き接点保持シート１は、例えば携帯電話機のキー操作面の位置に組み込まれる。携帯電話機の利用者がキー操作部１３を操作可能なモードにすると、光源１２の光はライトガイドフィルム９の端面から入り、ライトガイドフィルム９の内部を全反射しながら透過し、キー操作部１３の部分で拡散し、それらのキー操作部１３を背面側から照らすことによって、夜間など暗い場所でも、キー操作可能な状態とする。
【００１８】
ここで利用者が所定のキー操作部１３を押すと、キー操作部１３は、その底面でライトガイドフィルム９を介してドーム状の可動接点５の突起７の上部を押し、これと一体の可動接点５を固定接点６の方向に変位させる。このとき、ライトガイドフィルム９は、可動接点５の突起７に対して面で当たるから、ライトガイドフィルム９は破損やクラックなどの損傷をほとんど受けない。このため、ライトガイドフィルム９の耐久性が向上し、長い期間にわたって安定に機能することになる。
【００１９】
ドーム状の可動接点５は、基板３の方向に変位する過程で、基板３の固定接点６に接し、それらの間を電気的にオンの状態とする。このオンの状態と前後して、可動接点５は、湾曲方向を反転させ、いわゆるクリックアクションの動作をするため、利用者は、クリックアクションの動作によるストロークの急変、およびスイッチオンの状態を力加減の変化から確認できる。なお、利用者がキー操作部１３を押す力を弱めると、可動接点５は、弾力的に復帰するため、固定接点６から離れて、オフの状態となる。
【産業上の利用可能性】
【００２０】
本発明に係るライトガイド付き接点保持シート１は、携帯電話機や小型の携帯用電子機器に組み込むことを目的として製作されているが、その他の小型のキースイッチにも利用でき、そのときのキースイッチの構造に適合するような形態、大きさとして製作される。また、既述のように、キー操作部１３は、すべての可動接点５に共通な一体の柔軟に変形可能なキーパッドにより構成することもできる。
【図面の簡単な説明】
【００２１】
【図１】本発明に係るライトガイド付き接点保持シート１の平面図である。
【図２】図１でのＡ−Ａ矢印方向の断面図である。
【図３】本発明に係るライトガイド付き接点保持シート１の要部の拡大断面図である。
【符号の説明】
【００２２】
１  ライトガイド付き接点保持シート
２  保持シート
３  基板
４  粘着面
５  可動接点
６  固定接点
７  突起
８  孔
９  ライトガイドフィルム
１０  位置決め孔
１１  キートップ
１２  光源
１３  キー操作部
１４  ケース
【図１】
2009277611.tif 000003
【図２】
2009277611.tif 000004
【図３】
2009277611.tif 000005